(57)【要約】      （修正有）【課題】接地装置の回転軸を電気的および機械的にロックした状態で配電盤の点検準備を迅速に行う。【解決手段】挿入体１１１の挿入孔を開閉するスライド蓋１３１２を開くとスイッチ１３５０を開状態とし、前記スイッチが開状態になると電気的にロックされ、回転軸１３４１を回転させると機械的にロックされる電動機１３３０と、前記電動機の動作に応じて配線１１００と接地極２０００とを断続する接地接続部１３２０と、前記挿入孔と対向して設けられる扉１４００と、を備える閉鎖形配電盤１０００において、前記電動機を電気的および機械的にロックする誤動作防止冶具であって、前記挿入孔に挿入される一方の端面に前記回転軸と嵌合する嵌合孔を有する嵌合部材を備え、前記嵌合部材における前記挿入孔に挿入される方向の長さは、前記挿入孔に挿入した状態において、前記挿入孔と閉じられた前記扉との間に収まる長さである。【選択図】図３
2019071734.tif 000002
【特許請求の範囲】
【請求項１】
挿入孔と前記挿入孔を開閉するスライド蓋とを有し、前記スライド蓋を開く動作に応じてスイッチを開状態にする開閉部と、
前記スイッチが開状態になると電気的にロックされ、前記挿入孔の内側に設けられる回転軸を回転させると機械的にロックされる電動機と、
前記電動機の動作に応じて配電線に接続された状態と接続されていない状態とが切り替えられ、前記配電線に接続された状態において、前記配電線と接地極とを接続する接地接続部と、
を有する接地装置と、
前記挿入孔と対向して設けられる扉と、
を備える閉鎖形配電盤において、
前記接地装置の誤動作を回避するために、前記電動機を電気的および機械的にロックする誤動作防止冶具であって、
円柱形状を呈し、前記挿入孔に挿入される一方の端面に前記回転軸と嵌合する嵌合孔を有する嵌合部材
を備え、
前記嵌合部材における前記挿入孔に挿入される方向の長さは、前記挿入孔に挿入した状態において、前記挿入孔と閉じられた前記扉との間に収まる長さである
ことを特徴とする誤動作防止冶具。
【請求項２】
前記嵌合部材は、
前記挿入孔に挿入される挿入体と、
前記挿入体に連結され、前記挿入体が前記挿入孔に挿入された状態で前記挿入孔を塞ぐような、前記挿入体よりも大きい直径を有する把持体と、
を含んで構成されていることを特徴とする請求項１に記載の誤動作防止冶具。
【請求項３】
前記把持体の表面に設けられ、作業員が把持したときの滑りを防止する滑止部材
をさらに備えることを特徴とする請求項２に記載の誤動作防止冶具。
【請求項４】
前記把持体は、
前記挿入孔に挿入される方向に沿って伸縮可能な機構を有する
ことを特徴とする請求項２または請求項３に記載の誤動作防止冶具。
【請求項５】
前記嵌合部材は、
前記挿入孔に挿入される方向に沿って伸縮可能な機構を有する
ことを特徴とする請求項１に記載の誤動作防止冶具。
【請求項６】
前記伸縮機構は、凸片と、係止孔と、を有し、
前記嵌合部材の前記挿入される方向の長さは、前記凸片が前記係止孔に係合して固定される
ことを特徴とする請求項４または請求項５に記載の誤動作防止冶具。
【請求項７】
前記嵌合部材は、塩化ビニル材料で形成されている
ことを特徴とする請求項１乃至請求項６の何れか一項に記載の誤動作防止冶具。
【発明の詳細な説明】
【技術分野】
【０００１】
本発明は、誤動作防止冶具に関する。
【背景技術】
【０００２】
例えば、閉鎖形配電盤の接地装置が知られている（例えば特許文献１）。
【先行技術文献】
【特許文献】
【０００３】
【特許文献１】実開昭５９−７８８０７号公報
【発明の概要】
【発明が解決しようとする課題】
【０００４】
電気設備の点検に際し、安全性の観点から、閉鎖形配電盤内の配電線を覆う絶縁カバーを取り外して該配電線に短絡接地器具を取り付ける。このとき、配電線に対して着脱自在に設けられる接地装置が動作しないように、接地装置を養生する。まず、接地装置が機械的に動作しないように、一般的には所定の回転軸を回転させて動作機構を機械的にロックする。次に、接地装置が電気的に動作しないように、制御回路を切状態にして電気的にロックする。しかし、制御回路のみを切断するための専用スイッチが設けられていないことが多い。この場合、費用をかけて専用スイッチを設置していた。
【０００５】
一方、専用スイッチと同等の機能を有する機構が、多くの場合、上述した所定の回転軸に近接して設けられている。具体的には、回転軸に冶具を取り付けると、接地装置が電気的にロックされるような機構である。つまり、回転軸に冶具を取り付けた状態では、接地装置を電気的および機械的にロックした状態になる。したがって、回転軸に冶具を取り付けた状態において点検準備または点検することが求められている。しかし、一般的な冶具では、それを回転軸に取り付けた状態において閉鎖形配電盤の扉を閉めることができないため、点検準備または点検の作業効率を低下させる虞があった。
【課題を解決するための手段】
【０００６】
前述した課題を解決する主たる本発明は、挿入孔と前記挿入孔を開閉するスライド蓋とを有し、前記スライド蓋を開く動作に応じてスイッチを開状態にする開閉部と、前記スイッチが開状態になると電気的にロックされ、前記挿入孔の内側に設けられる回転軸を回転させると機械的にロックされる電動機と、前記電動機の動作に応じて配電線に接続された状態と接続されていない状態とが切り替えられ、前記配電線に接続された状態において、前記配電線と接地極とを接続する接地接続部と、を有する接地装置と、前記挿入孔と対向して設けられる扉と、を備える閉鎖形配電盤において、前記接地装置の誤動作を回避するために、前記電動機を電気的および機械的にロックする誤動作防止冶具であって、円柱形状を呈し、前記挿入孔に挿入される一方の端面に前記回転軸と嵌合する嵌合孔を有する嵌合部材を備え、前記嵌合部材における前記挿入孔に挿入される方向の長さは、前記挿入孔に挿入した状態において、前記挿入孔と閉じられた前記扉との間に収まる長さである。
本発明の他の特徴については、添付図面および本明細書の記載により明らかとなる。
【発明の効果】
【０００７】
本発明によれば、閉鎖形配電盤の扉を閉じた状態でも接地装置の回転軸に嵌合した状態を保持することができるため、電動機を電気的および機械的にロックした状態を保持しつつ、閉鎖形配電盤の点検準備を迅速に行うことができる。
【図面の簡単な説明】
【０００８】
【図１】閉鎖形配電盤の構成の一例を示す構成図である。
【図２】閉鎖形配電盤内の接地装置と配線との関係の一例を示す構成図である。
【図３】第１実施形態に係る誤動作防止冶具を回転軸と嵌合させた状態の一例を示す概要図である。
【図４】第１実施形態に係る誤動作防止冶具の構成を示す斜視図である。
【図５】第１実施形態に係る誤動作防止冶具を回転軸と嵌合させた状態の一例を示す拡大断面図である。
【図６】第１実施形態に係る誤動作防止冶具の変形例の構成を示す斜視図である。
【図７】第２実施形態に係る誤動作防止冶具の構成を示す斜視図である。
【図８】第２実施形態に係る誤動作防止冶具を回転軸と嵌合させた状態の一例を示す拡大断面図である。
【図９】第３実施形態に係る誤動作防止冶具の構成を示す斜視図である。
【図１０】第４実施形態に係る誤動作防止冶具の構成を示す斜視図である。
【発明を実施するための形態】
【０００９】
本明細書および添付図面の記載により、少なくとも以下の事項が明らかとなる。以下の説明において、同一符号を付した部分は同一の要素を表し、その基本的な構成は同様であるものとする。
【００１０】
＝＝＝閉鎖形配電盤１０００の構成＝＝＝
図１、図２を参照しつつ、閉鎖形配電盤１０００の構成について説明する。図１は、閉鎖形配電盤１０００の構成の一例を示す構成図である。図２は、閉鎖形配電盤１０００内の接地装置１３００と配線１１００との関係の一例を示す構成図である。
【００１１】
本実施形態に係る誤動作防止冶具が適用される閉鎖形配電盤１０００は、例えば、特別高圧または高圧で受電する配電盤であって、保護継電器や遮断器などが収容されている所謂スイッチギアである。ここで、図１では閉鎖形配電盤１０００内を模式的に示し、図２では閉鎖形配電盤１０００内の一部を概略的に示している。
【００１２】
図１に示すように、閉鎖形配電盤１０００は、配線１１００と、電気機器１２００と、接地装置１３００と、開閉扉１４００と、を含んで構成されている。
【００１３】
配線１１００は、電気機器１２００に電力を供給する電力線である。作業員は、閉鎖形配電盤１０００の点検に際して、配線１１００に短絡接地器具（不図示）を設置しなければならない。短絡接地器具は、図２に示すように、配線１１００を覆うように設けられている絶縁カバー１１１０を取り外して、露出した配線１１００に取り付けられる。このとき、作業の安全性を考慮して、後述する接地装置１３００が動かないように接地装置１３００を電気的および機械的にロックしなければならない。
【００１４】
電気機器１２００は、例えば、配線１１００に接続される遮断器（不図示）や保護継電器（不図示）である。
【００１５】
接地装置１３００は、閉鎖形配電盤１０００の点検の際に、配線１１００の残留電荷を除去するための装置である。接地装置１３００は、開閉部１３１０と、接地極２０００と接続されている接地接続部１３２０と、接地接続部１３２０が配線１１００に接続されている状態と接続されていない状態を切り替える電動機１３３０と、電動機１３３０を機械的にロックするロック機構１３４０と、電動機１３３０を電気的にロックするスイッチ１３５０と、を含んで構成されている。
【００１６】
開閉部１３１０は、図１に示すように、挿入孔１３１１と、該挿入孔１３１１の開状態と閉状態を切り替えるスライド蓋１３１２と、を有する。挿入孔１３１１の内側には、後述するロック機構１３４０の回転軸１３４１が配置されている。スライド蓋１３１２を動かして挿入孔１３１１を開状態にすると、その動作に連動して後述するスイッチ１３５０（ｂ接点）が開状態になる。これにより、該スイッチ１３５０を介して受電している電動機１３３０が電気的にロックされる。
【００１７】
接地接続部１３２０は、図１に示すように、接地極２０００に接続され、配線１１００の残留電荷を除去する部材である。接地接続部１３２０は、図２に一例を示すように、一端が電動機１３３０の接続軸１３３１に接続される導電ロット１３２１と、配線１１００と電気的に接続され該導電ロット１３２１の他端と接続される導電接続材１３２２と、を有する。なお、図２には図示しないが、例えば導電ロット１３２１の一端の側には接地極２０００が接続されている。電動機１３３０の動作に応じて導電ロット１３２１が接続軸１３３１を中心に回動すると、導電ロット１３２１の他端が導電接続材１３２２に嵌め込まれる。この状態において、導電ロット１３２１を介して配線１１００が接地極２０００に接続され、配線１１００の残留電荷が除去される。
【００１８】
電動機１３３０は、導電ロット１３２１の一端が接続する接続軸１３３１を回転させて、接地接続部１３２０と配線１１００との接続状態を切り替える装置である。閉鎖形配電盤１０００の点検時、電動機１３３０は、意図しない要因で動かないように電気的および機械的にロックされる。
【００１９】
ロック機構１３４０は、電動機１３３０の動力機構（不図示）を機械的にロックするための回転軸１３４１を有する。例えば、該回転軸１３４１を所定の方向に回転させると、電動機１３３０を機械的にロックできる機能を有する。回転軸１３４１は、冶具で回転させられるように、冶具と嵌り合う凸部１３４１ａを有する。
【００２０】
スイッチ１３５０は、スライド蓋１３１２の動きに応じて、電動機１３３０に電力を供給する状態と供給しない状態とを切り替える部材である。スイッチ１３５０は、例えばｂ接点である。つまり、例えば、スライド蓋１３１２が挿入孔１３１１を閉じた状態でスイッチ１３５０は入状態となり、スライド蓋１３１２が挿入孔１３１１を開いた状態でスイッチ１３５０は切状態となる。上述したように、電動機１３３０はスイッチ１３５０を介して受電しているため、電動機１３３０はスイッチ１３５０が切状態において電気的にロックされる。
【００２１】
開閉扉１４００は、閉鎖形配電盤１０００における接地装置１３００が配置される側に設けられる扉である。開閉扉１４００の内面と接地装置１３００（挿入孔１３１１）との離隔距離は、一般的に１２０ｍｍ以上である（日本工業規格Ｃ４６２０を参照）。つまり、本実施形態に係る誤動作防止冶具１００〜４００を挿入孔１３１１に挿入した状態を保持したまま開閉扉１４００を閉めるには、誤動作防止冶具１００〜４００が挿入された状態において挿入孔１３１１から延出する部分の挿入方向の長さが１００ｍｍ以下であることが好ましい。ただし、挿入方向の長さは限定されるものではなく、開閉扉１４００の内面と挿入孔１３１１との離隔距離に応じて決められることとする。
【００２２】
まとめると、閉鎖形配電盤１０００の点検においては、挿入孔１３１１に冶具を挿入して接地装置１３００を電気的にロックし、冶具を挿入孔１３１１に挿入した状態で回転軸１３４１を所定の方向に回転させて接地装置１３００を機械的にロックする。そして、作業性を向上させるために、冶具を挿入孔１３１１に挿入した状態を保持しつつ開閉扉１４００を閉められるという状態が求められる。
【００２３】
このように、接地装置１３００を電気的および機械的にロックしつつ閉鎖形配電盤１０００の開閉扉１４００を閉めることに支障とならない本発明の実施形態である誤動作防止冶具１００〜４００について、以下のとおり詳細に説明する。
【００２４】
＝＝＝第１実施形態に係る誤動作防止冶具１００の構成＝＝＝
図３、図４、図５、図６を参照しつつ、第１実施形態に係る誤動作防止冶具１００について以下説明する。図３は、第１実施形態に係る誤動作防止冶具１００を回転軸１３４１と嵌合させた状態の一例を示す概要図である。図４は、第１実施形態に係る誤動作防止冶具１００の構成を示す斜視図である。図５は、第１実施形態に係る誤動作防止冶具１００を回転軸１３４１と嵌合させた状態の一例を示す拡大断面図である。図６は、第１実施形態に係る誤動作防止冶具１００の変形例の構成を示す斜視図である。
【００２５】
誤動作防止冶具１００は、閉鎖形配電盤１０００の接地装置１３００を電気的および機械的にロックする冶具である。図３に示すように、誤動作防止冶具１００は、開閉部１３１０のスライド蓋１３１２が開いた状態（電気的にロック）において挿入孔１３１１から挿入され、接地装置１３００の回転軸１３４１と嵌合する。この状態において、作業員が誤動作防止冶具１００を所定の方向に回転させると、接地装置１３００が機械的にロックされる。これにより、接地装置１３００は、電気的および機械的にロックされる。
【００２６】
図４に示すように、このような誤動作防止冶具１００は、嵌合部材１１０を含んで構成されている。嵌合部材１１０は、例えば塩化ビニルで形成されている。ただし、形成される材料は限定されるものではなく例えば金属材料であってもよい。さらに述べると、嵌合部材１１０は、挿入体１１１と、把持体１１２と、嵌合孔１１３と、を有する。
【００２７】
挿入体１１１は、挿入孔１３１１に挿入される部材である。挿入体１１１は、例えば円柱形状を呈し、誤動作防止冶具１００が挿入孔１３１１に挿入された状態において挿入孔１３１１の開口面と面一になる挿入方向の長さを有する。挿入体１１１の直径は、後述する嵌合孔１１３を形成でき、挿入孔１３１１に挿入できる程度の径であればよい。挿入体１１１における挿入方向の端面には、嵌合孔１１３を備える。嵌合孔１１３は、回転軸１３４１と嵌合する孔である。
【００２８】
把持体１１２は、作業員が把持する部材である。把持体１１２は、例えば中空の円柱形状を呈し、挿入体１１１における嵌合孔１１３が設けられる端面と反対側の端面に接合される。把持体１１２の直径は、挿入孔１３１１の直径よりも大きい径である。これにより、図５に示すように、誤動作防止冶具１００を回転軸１３４１に嵌合させた状態において挿入孔１３１１を塞ぐことができるため、挿入孔１３１１への虫などの侵入を防止できる。把持体１１２の挿入方向の長さは、挿入孔１３１１と開閉扉１４００の内面との間の離隔距離（図５参照）に収まるように１００ｍｍ以下であることが好ましい。ただし、挿入方向の長さは、挿入孔１３１１と開閉扉１４００の内面との離隔距離に応じて決められるものである。なお、把持体１１２と挿入体１１１とは、別々に製作されているように記載したが、これに限定されず例えば一体的に形成されていてもよい。
【００２９】
第１実施形態に係る誤動作防止冶具１００の変形例は、図６に示すように、嵌合部材１１０の把持体１１２に滑止部材１２０が設けられているものである。滑止部材１２０は、例えばゴム材料で形成され、把持体１１２の全面に貼合されてもよいし、把持体１１２の表面の一部に貼合されていてもよい。なお、滑止部材１２０に代えて、把持体１１２の表面に凹凸を形成させて、作業員が握ったときの滑りを防止してもよい。
【００３０】
＝＝＝第２実施形態に係る誤動作防止冶具２００の構成＝＝＝
図７、図８を参照しつつ、第２実施形態に係る誤動作防止冶具２００の構成について以下説明する。図７は、第２実施形態に係る誤動作防止冶具２００の構成を示す斜視図である。図８は、第２実施形態に係る誤動作防止冶具２００を回転軸１３４１と嵌合させた状態の一例を示す拡大断面図である。
【００３１】
なお、第２実施形態に係る誤動作防止冶具２００は、第１実施形態に係る誤動作防止冶具１００の把持体１１２を変形したものである。そのため、以下説明においては把持体２１２についてのみ説明することとし、他の構成要素については第１実施形態に係る誤動作防止冶具１００と同じものとして、その説明を省略する。
【００３２】
図７に示すように、把持体２１２は、例えば、下段部材２１２ａと、中段部材２１２ｂと、上段部材２１２ｃと、で構成され、挿入方向に伸縮する機構を形成している。この伸縮する機構は、下段部材２１２ａが中段部材２１２ｂの内部に摺動でき、中段部材２１２ｂが上段部材２１２ｃの内部に摺動できるように構成されている。下段部材２１２ａおよび中段部材２１２ｂは凸片２１２ｄを有し、中段部材２１２ｂおよび上段部材２１２ｃは係止孔２１２ｅを有する。凸片２１２ｄは、係止孔２１２ｅに係合する形状を呈する。つまり、夫々の部材が摺動すると、下側の部材の凸片２１２ｄが上側の部材の係止孔２１２ｅに係合して、把持体２１２の状態が固定される。図８に示すように、この伸縮する機構により、把持体２１２は、開閉扉１４００の内面と挿入孔１３１１との間の離隔距離に応じて挿入方向の長さを調整できる。
【００３３】
また、把持体２１２には滑止部材２２０が設けられていてもよい。この場合、滑止部材２２０は、中段部材２１２ｂおよび上段部材２１２ｃの表面の全面または一部に貼合されている。
【００３４】
なお、上記において、把持体２１２が三段で形成されているように記載したがこれに限定されず、把持体２１２の段数は任意に決定されてもよい。
【００３５】
＝＝＝第３実施形態に係る誤動作防止冶具３００の構成＝＝＝
図９を参照しつつ、第３実施形態に係る誤動作防止冶具３００の構成について以下説明する。図９は、第３実施形態に係る誤動作防止冶具３００の構成を示す斜視図である。
【００３６】
なお、以下説明においては、第２実施形態に係る誤動作防止冶具２００と異なる部分のみを記載することとし、記載のない事項については第２実施形態に係る誤動作防止冶具２００と同じものとして、その説明を省略する。
【００３７】
図９に示すように、第３実施形態に係る誤動作防止冶具３００は、円柱形状の嵌合部材３１０に伸縮する機構が設けられている。嵌合部材３１０は、例えば、下段部材３１１と、中段部材３１２と、上段部材３１３と、で構成されている。下段部材３１１は、挿入孔１３１１に挿入される部材であり、挿入方向の一端面に嵌合孔３１６が設けられている。中段部材３１２および上段部材３１３は、第２実施形態に係る誤動作防止冶具２００における中段部材２１２ｂおよび上段部材２１２ｃと同じものである。誤動作防止冶具３００の長さは、回転軸１３４１と嵌合した状態において、最も短い状態で挿入孔１３１１と開閉扉１４００との間の離隔距離に収まる長さとする。
【００３８】
＝＝＝第４実施形態に係る誤動作防止冶具４００の構成＝＝＝
図１０を参照しつつ、第４実施形態に係る誤動作防止冶具４００の構成について以下説明する。図１０は、第４実施形態に係る誤動作防止冶具４００の構成を示す斜視図である。
【００３９】
なお、以下説明においては、第１実施形態に係る誤動作防止冶具１００と異なる部分のみを記載することとし、記載のない事項については第１実施形態に係る誤動作防止冶具１００と同じものとして、その説明を省略する。
【００４０】
図１０に示すように、第４実施形態に係る誤動作防止冶具４００の嵌合部材４１０は、円柱形状を呈し、挿入方向の一端面に嵌合孔４１１を有する。その周面には滑止部材（不図示）が設けられていてもよい。
【００４１】
＝＝＝まとめ＝＝＝
以上説明したように、本実施形態に係る誤動作防止冶具１００，２００，３００，４００は、挿入孔１３１１と挿入孔１３１１を開閉するスライド蓋１３１２とを有し、スライド蓋１３１２を開く動作に応じてスイッチ１３５０を開状態にする開閉部１３１０と、スイッチ１３５０が開状態になると電気的にロックされ、挿入孔１３１１の内側に設けられる回転軸１３４１を回転させると機械的にロックされる電動機１３３０と、電動機１３３０の動作に応じて配線１１００に接続された状態と接続されていない状態とを切り替えられ、配線１１００に接続された状態において、配線１１００と接地極２０００とを接続する接地接続部１３２０と、を有する接地装置１３００と、挿入孔１３１１と対向して設けられる開閉扉１４００と、を備える閉鎖形配電盤１０００において、接地装置１３００の誤動作を回避するために、電動機１３３０を電気的および機械的にロックする冶具であって、円柱形状を呈し、挿入孔１３１１に挿入される一方の端面に回転軸１３４１と嵌合する嵌合孔１１３，２１３，３１６，４１１を有する嵌合部材１１０，２１０，３１０，４１０を備え、嵌合部材１１０，２１０，３１０，４１０における挿入孔１３１１に挿入される方向の長さは、挿入孔１３１１に挿入した状態において、挿入孔１３１１と閉じられた開閉扉１４００との間に収まる長さである。本実施形態によれば、閉鎖形配電盤１０００の扉を閉じた状態でも接地装置１３００の回転軸１３４１に嵌合した状態を保持することができるため、電動機１３３０を電気的および機械的にロックした状態を保持しつつ、閉鎖形配電盤１０００の点検準備を迅速に行うことができる。
【００４２】
又、本実施形態に係る誤動作防止冶具１００，２００において、嵌合部材１１０，２１０は、挿入孔１３１１に挿入される挿入体１１１，２１１と、挿入体１１１，２１１に連結され、挿入体１１１，２１１が挿入孔１３１１に挿入された状態で挿入孔１３１１を塞ぐような、挿入体１１１，２１１よりも大きい直径を有する把持体１１２，２１２と、を含んで構成されている。本実施形態によれば、誤動作防止冶具１００，２００を回転軸１３４１に嵌合させた状態において、挿入孔１３１１に虫などが侵入することを防止できる。また、把持体１１２，２１２の位置を確認することにより、回転軸１３４１が嵌合孔１１３，２１３と確実に嵌合しているか否かを確認できるため操作の安全性を向上できる。
【００４３】
又、本実施形態に係る誤動作防止冶具１００，２００において、把持体１１２，２１２の表面に設けられ、作業員が把持したときの滑りを防止する滑止部材１２０，２２０をさらに備える。本実施形態によれば、作業員が誤動作防止冶具１００，２００，３００，４００を回転させるときに滑りを防止することができるため、作業の安全性を向上できる。
【００４４】
又、本実施形態に係る誤動作防止冶具２００において、把持体２１２は、挿入孔１３１１に挿入される方向に沿って伸縮可能な機構を有する。本実施形態によれば、開閉扉１４００の内面と挿入孔１３１１との離隔距離に応じて長さを調整することができるためコストの縮減が図れる。
【００４５】
又、本実施形態に係る誤動作防止冶具３００において、嵌合部材３１０は、挿入孔１３１１に挿入される方向に沿って伸縮可能な機構を有する。本実施形態によれば、開閉扉１４００の内面と挿入孔１３１１との離隔距離に応じて長さを調整することができるためコストの縮減が図れる。
【００４６】
又、本実施形態に係る誤動作防止冶具２００，３００において、伸縮機構は、凸片２１２ｄ，３１４と、係止孔２１２ｅ，３１５と、を有し、嵌合部材２１０，３１０の挿入される方向の長さは、凸片２１２ｄ，３１４が係止孔２１２ｅ，３１５に係合して固定される。本実施形態によれば、簡易な手段で伸縮機構を固定することができるためコストの縮減が図れる。
【００４７】
又、本実施形態に係る誤動作防止冶具１００，２００，３００，４００において、嵌合部材１１０，２１０，３１０，４１０は、塩化ビニル材料で形成されている。本実施形態によれば、安価な材料で製作できるためコストの縮減が図れる。
【００４８】
尚、上記の実施形態は、本発明の理解を容易にするためのものであり、本発明を限定して解釈するためのものではない。本発明は、その趣旨を逸脱することなく、変更、改良され得るとともに、本発明にはその等価物も含まれる。
【符号の説明】
【００４９】
１００，２００，３００，４００  誤動作防止冶具
１１０，２１０，３１０，４１０  嵌合部材
１１１，２１１  挿入体
１１２，２１２  把持体
１１３，２１３，３１６，４１１  嵌合孔
１２０，２２０  滑止部材
２１２ｄ，３１４  凸片と
２１２ｅ，３１５  係止孔
１０００  閉鎖形配電盤
１１００  配線
１３００  接地装置
１３１０  開閉部
１３１１  挿入孔
１３１２  スライド蓋
１３２０  接地接続部
１３３０  電動機
１３４１  回転軸
１３５０  スイッチ
１４００  開閉扉
２０００  接地極
【図１】
2019071734.tif 000003
【図２】
2019071734.tif 000004
【図３】
2019071734.tif 000005
【図４】
2019071734.tif 000006
【図５】
2019071734.tif 000007
【図６】
2019071734.tif 000008
【図７】
2019071734.tif 000009
【図８】
2019071734.tif 000010
【図９】
2019071734.tif 000011
【図１０】
2019071734.tif 000012